(57)【要約】【課題】表示パネルを駆動するための駆動回路におけるＩＣチップからの放熱を十分に確保するとともに、発熱に伴う不具合を回避した信頼性の高いプラズマディスプレイ装置を提供する。【解決手段】前面基板２１とデータ電極を形成した背面基板３１とを対向配置したパネル１０と、パネル１０を支持する金属シャーシ４１と、パネル１０と金属シャーシ４１との間の熱伝導性シート４４と、駆動回路４７と、データ電極と駆動回路４７とを接続し、ＩＣチップ５１を実装したフレキシブル配線基板４９と、ＩＣチップ５１と駆動回路４７とを支持する補助金属シャーシ４６とを有し、金属シャーシ４１と補助金属シャーシ４６との間に断熱性部材４５を設けたプラズマディスプレイ装置とすることにより、ＩＣチップ５１が高温になっても、補助金属シャーシ４６を通じて放熱することが可能になるため、ＩＣチップ５１の発熱に伴う誤動作を回避することができる。【選択図】図５
2008256773.tif 000002
【特許請求の範囲】
【請求項１】
表示電極を形成した前面基板とデータ電極を形成した背面基板とを対向配置したプラズマディスプレイパネルと、
前記プラズマディスプレイパネルを間に熱伝導性シートを介在させて支持する金属シャーシと、
前記プラズマディスプレイパネルのデータ電極と駆動回路とを接続しかつＩＣチップを実装したフレキシブル配線基板とを有し、
前記フレキシブル配線基板と前記駆動回路とを支持する補助金属シャーシを設けるとともに、前記補助金属シャーシを前記金属シャーシに断熱材を介して取り付けたことを特徴とするプラズマディスプレイ装置。
【請求項２】
前記ＩＣチップと前記補助金属シャーシとは熱伝導性部材を介して接していることを特徴とする請求項１に記載のプラズマディスプレイ装置。
【発明の詳細な説明】
【技術分野】
【０００１】
本発明は、プラズマディスプレイ装置に関する。
【背景技術】
【０００２】
画像表示パネルとして代表的なプラズマディスプレイパネル（以下、単に「パネル」と略記する）を用いたプラズマディスプレイ装置は、視野角が広く大画面化が容易であり、かつ自発光型であり画像表示品質が高いことなどから大画面画像表示装置の主流となりつつある。
【０００３】
パネルは、対向配置された前面板と背面板との間に多数の放電セルが形成されている。前面板は、１対の走査電極と維持電極とからなる表示電極が前面ガラス基板上に互いに平行に複数対形成され、それらの表示電極を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極とデータ電極とが立体交差するように前面板と背面板とが対向配置されて密封され、内部の放電空間には、例えばキセノンを含む放電ガスが封入されている。ここで表示電極とデータ電極との対向する部分に放電セルが形成される。
【０００４】
このようなパネルを用いてプラズマディスプレイ装置を構成するために、パネルには、各電極に駆動電圧を印加するためのフレキシブル配線基板が接続される。特にデータ電極に駆動電圧を印加するためのデータ電極用フレキシブル配線基板には、データ電極のそれぞれを駆動するためのデータ電極駆動用ＩＣチップ（以下、単に「ＩＣチップ」と略記する）が搭載されている。このように電極を駆動する機能を備えたものを画像表示パネル駆動モジュール（以下、単に「モジュール」と略記する）には、ＩＣチップの出力端子とデータ電極とを接続するための出力配線、およびＩＣチップの入力端子と駆動回路部分とを接続するための入力配線が形成されており、出力配線はパネルのデータ電極の電極引出部のそれぞれに異方導電性接着材などを介して電気的に接続される。
【０００５】
ここで、データ電極を駆動するＩＣチップは温度が高くなるので、熱抵抗が十分小さくなるように考慮して実装する必要がある。そこで、このＩＣチップを搭載したモジュールとして、放熱のための放熱板を取り付けた構造が開示されている。その放熱板はＩＣチップが嵌り込む凹部が設けられており、かつその凹部に熱伝導性部材を充填することにより小さな熱抵抗を実現する。また、この放熱板はモジュールなどが載置されている金属シャーシと熱的に接続されており、金属シャーシを通して放熱されている（例えば、特許文献１参照）。
【特許文献１】特開２００５−３３８７０６号公報
【発明の開示】
【発明が解決しようとする課題】
【０００６】
金属シャーシはパネルとも熱的に接続しているため、パネルが点灯することによって発熱した熱も金属シャーシを通して放熱される。したがって、パネルの点灯状態によって、ＩＣチップからの放熱効率が変化してしまう。すなわち、パネルの発熱量が大きい状態において、ＩＣチップに印加される電力が大きくなると、ＩＣチップの温度が下がらず、プラズマディスプレイ装置を駆動させる回路の誤動作を引き起こすことがあるという課題があった。
【０００７】
本発明は、このような課題を解決するためになされたものであり、パネルの点灯状態に依存せず、ＩＣチップからの放熱を十分に確保するとともに、発熱に伴う誤動作を回避した信頼性の高いプラズマディスプレイ装置を提供することを目的とするものである。
【課題を解決するための手段】
【０００８】
上記目的を達成するために本発明のプラズマディスプレイ装置は、表示電極を形成した基板とデータ電極を形成した背面基板とを対向配置したパネルと、パネルを間に熱伝導性シートを介在させて支持する金属シャーシと、パネルのデータ電極と駆動回路とを接続しかつＩＣチップを実装したフレキシブル配線基板とを有し、フレキシブル配線基板と駆動回路とを支持する補助金属シャーシを設けるとともに、補助金属シャーシを金属シャーシに断熱材を介して取り付けたことを特徴とする。このような構成により、ＩＣチップが高温になり、金属板が高温になっても、補助金属シャーシを通じて放熱することが可能になるため、ＩＣチップの発熱に伴う誤動作を回避することができる。
【０００９】
さらに、ＩＣチップと補助金属シャーシとは熱伝導性部材を介して接触させることにより、ＩＣチップと補助金属シャーシとの間の熱抵抗が低くなるため、より効率的にＩＣチップの熱を補助金属シャーシへ伝えることができる。
【００１０】
さらに、ＩＣチップを挟んで補助金属シャーシと対向する側にＩＣチップが嵌り込む凹部を有する金属板を設け、凹部とＩＣチップとの間に熱伝導性部材を介在させることが望ましい。このような構成により、ＩＣチップの熱が金属板にも伝熱されるため、より確実に、ＩＣチップの熱を放熱することができる。
【００１１】
さらに、補助金属シャーシが、金属シャーシの複数個所において固定されていることが望ましい。このような構成により、補助金属シャーシがプラズマディスプレイ装置の補強部材になるため、安定な構造のプラズマディスプレイ装置を得ることが可能になる。
【発明の効果】
【００１２】
本発明によれば、駆動回路が高温になってもＩＣチップの誤動作を起こさない高品質なプラズマディスプレイ装置を提供することができる。
【発明を実施するための最良の形態】
【００１３】
以下、本発明の実施の形態について、図面を参照しつつ説明する。
【００１４】
（実施の形態）
図１は本発明の実施の形態におけるプラズマディスプレイ装置に用いるパネル１０の要部を示す分解斜視図である。パネル１０は、ガラス製の前面基板２１と背面基板３１とを対向配置して、その間に放電空間を形成するように構成されている。前面基板２１上には表示電極を構成する走査電極２２と維持電極２３とが互いに平行に対をなして複数形成されている。そして、走査電極２２および維持電極２３を覆うように誘電体層２４が形成され、誘電体層２４上には保護層２５が形成されている。また、背面基板３１上には複数のデータ電極３２が形成され、そのデータ電極３２を覆うように誘電体層３３が形成されている。誘電体層３３上には井桁状の隔壁３４が設けられている。また、誘電体層３３の表面および隔壁３４の側面に蛍光体層３５が設けられている。そして、走査電極２２および維持電極２３とデータ電極３２とが交差する方向に前面基板２１と背面基板３１とを対向配置しており、その間に形成される放電空間には、放電ガスとして、例えばネオンとキセノンの混合ガスが封入されている。なお、パネル１０の構造は上述したものに限られるわけではなく、例えばストライプ状の隔壁を備えたものであってもよい。
【００１５】
図２は本発明の実施の形態におけるプラズマディスプレイ装置に用いるパネル１０の電極配列図である。行方向に長いｎ本の走査電極２２およびｎ本の維持電極２３が配列され、列方向に長いｍ本のデータ電極３２が配列されている。そして、１対の走査電極２２および維持電極２３と１つのデータ電極３２とが交差した部分に放電セルが形成され、放電セルは放電空間内にｍ×ｎ個形成されている。
【００１６】
図３は本発明の実施の形態におけるプラズマディスプレイ装置に用いるパネル１０の外観を模式的に示す平面図である。図３（ａ）はパネル１０を背面基板３１側から見た図であり、図３（ｂ）は前面基板２１側から見た図である。パネル１０の前面基板２１および背面基板３１は矩形状であり長辺と短辺を有している。図３（ａ）に示すように、前面基板２１の短辺左側には走査電極２２用の電極引出部２２ａが形成されている。電極引出部２２ａのそれぞれはｎ本の走査電極２２のそれぞれに接続されている。また、前面基板２１の短辺右側には維持電極２３用の電極引出部２３ａが形成されている。電極引出部２３ａのそれぞれはｎ本の維持電極２３のそれぞれに接続されている。この電極引出部２２ａ、２３ａはそれぞれ複数のブロックに分かれており、各々のブロックには走査電極２２用フレキシブル配線基板および維持電極２３用フレキシブル配線基板が接続される。また図３（ｂ）に示すように、背面基板３１の長辺下側にはデータ電極３２用の電極引出部３２ａが形成されている。電極引出部３２ａのそれぞれはｍ本のデータ電極３２のそれぞれに接続されている。この電極引出部３２ａも複数のブロックに分かれており、各々のブロックにはデータ電極３２を駆動するためのモジュールが接続される。
【００１７】
図４は本発明の実施の形態におけるプラズマディスプレイ装置の構成を示す分解斜視図である。プラズマディスプレイ装置は、パネル１０、金属シャーシ４１、前面枠４２およびバックカバー４３を有する。金属シャーシ４１とパネル１０とは、熱伝導性シート４４を介して、熱的に接続されている。金属シャーシ４１の上には、断熱性部材４５を介して補助金属シャーシ４６が配置され、その補助金属シャーシ４６の上に、駆動回路４７や電源回路ブロックなどが載置されている。なお、図面を煩雑にしないために、これらのうち、１つの駆動回路４７のみを図示している。パネル１０の電極引出部３２ａには、フレキシブル配線基板４９が取り付けられ、コネクタ５０を介して駆動回路４７に接続されている。また、前面枠４２、バックカバー４３によってこれらは収納され、プラズマディスプレイ装置が構成される。
【００１８】
図５は、本発明の実施の形態におけるモジュールの詳細構造を示す断面図である。図５（ａ）は、フレキシブル配線基板４９上に実装されたＩＣチップ５１の中央で、背面基板３１の端面に対して垂直な面で切断した断面図である。図５（ｂ）は、同じくＩＣチップ５１の中央で、背面基板３１の端面に平行な面で切断した断面図である。
【００１９】
金属シャーシ４１は、熱伝導性シート４４を介してパネル１０と接触し、プラズマディスプレイ装置の駆動時にパネル１０で発生した熱を放熱している。さらに金属シャーシ４１の上には、断熱性部材４５を介在して補助金属シャーシ４６が固定されている。金属シャーシ４１と補助金属シャーシ４６の間は、断熱性樹脂などの断熱性部材４５、および空気層５２からなる断熱材によって断熱されている。また、補助金属シャーシ４６の上には、駆動回路４７などが固定されている。フレキシブル配線基板４９は、フレキシブルな屈曲性を有するポリイミドフィルムなどからなるベースフィルム上に、銅箔などからなる複数本の導体配線を形成することにより構成される。
【００２０】
導体配線の一方は、パネル１０の電極引出部３２ａに異方導電性接着材などにより接続され、他方は駆動回路４７にコネクタ５０を通して接続されている。フレキシブル配線基板４９には、開口部４９ａが設けられ、その開口部４９ａには導体配線の一部が露出している。ＩＣチップ５１は開口部４９ａに配置され、導体配線とは、Ａｕなどからなる突起電極を通じて接続している。このＩＣチップ５１が配設された開口部４９ａには、突起電極と導体配線の接続部を覆うようにエポキシ樹脂などの樹脂５３が充填され、機械的な損傷からＩＣチップ５１および実装部を保護している。樹脂５３は、補助熱伝導性部材５４を介して、補助金属シャーシ４６と接している。
【００２１】
また、フレキシブル配線基板４９のＩＣチップ５１が実装される部分には、金属板５５が取り付けられ、そしてその金属板５５には、ＩＣチップ５１が嵌り込む凹部５５ａが設けられている。また、金属板５５は、ねじ５６などにより、補助金属シャーシ４６に固定されている。金属板５５の凹部５５ａには、熱伝導性コンパウンドや熱伝導性接着材などの熱伝導性部材５７が充填されている。また、この金属板５５は、フレキシブル配線基板４９に耐熱性の両面接着テープ（図示せず）などにより接着され、フレキシブル配線基板４９を固定している。
【００２２】
本実施の形態におけるプラズマディスプレイ装置の駆動回路４７においては、ＩＣチップ５１で発生した熱は、熱伝導性部材５７を通して金属板５５に伝わる。また、補助熱伝導性部材５４を通して補助金属シャーシ４６に伝わる。
【００２３】
金属シャーシ４１には、熱伝導性シート４４を介してパネル１０からの熱が伝熱される。すなわち、パネル１０の表示状態に依存して金属シャーシ４１の表面温度が変化する。それに対して本実施の形態においては、金属シャーシ４１と補助金属シャーシ４６とは断熱されており、ＩＣチップ５１からの放熱は、パネル１０からの熱に依存しない補助金属シャーシ４６によって行なわれる。したがって、安定してＩＣチップ５１の放熱を行なうことができる。
【００２４】
なお、補助熱伝導性部材５４によって、ＩＣチップ５１で発生した熱は、効率的に金属シャーシ４１に伝わるが、補助熱伝導性部材５４は必須の部材ではない。例えば補助熱伝導性部材５４を介さず、直接樹脂５３と補助金属シャーシ４６とが接する構成であっても、放熱効果を有する。
【００２５】
さらに、補助金属シャーシ４６を金属シャーシ４１と複数個所で固定することにより、金属板の曲げ応力などに対する強度が増加するため、プラズマディスプレイ装置の設置に際しての安定性を増加させ、補強効果をもたらすといった別の効果を奏することができる。
【産業上の利用可能性】
【００２６】
本発明のプラズマディスプレイ装置が備える駆動回路ブロックに設けられた放熱構造は、駆動回路に高電力が印加されて高温になっても十分な放熱が確保されるので、特に大型のプラズマディスプレイ装置に適している。
【図面の簡単な説明】
【００２７】
【図１】本発明の実施の形態におけるプラズマディスプレイ装置に用いるパネルの要部を示す分解斜視図
【図２】同パネルの電極配列図
【図３】同パネルの外観を模式的に示す平面図
【図４】本発明の実施の形態におけるプラズマディスプレイ装置の構成を示す分解斜視図
【図５】本発明の実施の形態におけるモジュールの詳細構造を示す断面図
【符号の説明】
【００２８】
１０    パネル
２１    前面基板
２２    走査電極
２３    維持電極
３１    背面基板
３２    データ電極
３２ａ    電極引出部
４１    金属シャーシ
４４    熱伝導性シート
４５    断熱性部材
４６    補助金属シャーシ
４７    駆動回路
４９    フレキシブル配線基板
５１    ＩＣチップ
５２    空気層
５５    金属板
５５ａ    凹部
【図１】
2008256773.tif 000003
【図２】
2008256773.tif 000004
【図３】
2008256773.tif 000005
【図４】
2008256773.tif 000006
【図５】
2008256773.tif 000007